(57)【要約】      （修正有）【課題】カテーテル本体の先端部に設けられた吸引孔が、咽頭部における所定箇所から移動することを抑制し、被吸引物を効率よく吸引することができるカテーテルを提供する。【解決手段】咽頭部Ｔにおける喀痰Ａを、接続された吸引装置９００により吸引するカテーテルであって、先端部に喀痰を内部に吸引する吸引孔が設けられた、可撓性を有する管状のカテーテル本体１０と、カテーテル本体の先端より延出され、咽頭部における所定箇所に対する吸引孔の位置を規制する位置規制部２０とが備えられている。カテーテル本体が咽頭部に挿入された状態において、吸引孔が所定箇所に配置されたことを示す目印部７１、７２が、吸引孔からカテーテル本体の基端側に所定の間隔を隔てて設けられている。【選択図】図４
0003221471.tif 000002
【実用新案登録請求の範囲】
【請求項１】
咽頭部における被吸引物を、接続された吸引機構により吸引するカテーテルであって、
先端部に前記被吸引物を内部に吸引する吸引孔が設けられた、可撓性を有する管状のカテーテル本体と、
前記カテーテル本体の先端より延出され、前記咽頭部における所定箇所に対する前記吸引孔の位置を規制する位置規制部とが備えられた
カテーテル。
【請求項２】
前記位置規制部が、前記カテーテル本体よりも細径且つ可撓性が高い円柱体で構成された
請求項１に記載のカテーテル。
【請求項３】
前記位置規制部が、前記カテーテル本体の先端と連通する管状体で構成された
請求項１又は請求項２に記載のカテーテル。
【請求項４】
前記位置規制部と前記カテーテル本体との間に、先端側に向かって徐々に縮径する縮径部が備えられ、
前記カテーテル本体と前記縮径部と前記位置規制部とが一体構成された
請求項２又は請求項３に記載のカテーテル。
【請求項５】
前記位置規制部の先端側に、所定長さで細径な細径規制部が設けられた
請求項１乃至請求項４のうちいずれか一項に記載のカテーテル。
【請求項６】
前記吸引孔が、前記カテーテル本体の長手方向に沿って複数設けられた
請求項１乃至請求項５のうちいずれか一項に記載のカテーテル。
【請求項７】
前記吸引孔が、前記カテーテル本体の長手方向に対し、直交する方向に貫通する第一吸引孔と、
該第一吸引孔の貫通方向及び前記カテーテル本体の長手方向に対し、直交する方向に貫通する第二吸引孔とで構成された
請求項１乃至請求項６のうちいずれか一項に記載のカテーテル。
【請求項８】
前記カテーテル本体が前記咽頭部に挿入された状態において、
前記吸引孔が前記所定箇所に配置されたことを示す目印部が、前記吸引孔から前記カテーテル本体の基端側に所定の間隔を隔てて設けられた
請求項１乃至請求項７のうちいずれか一項に記載のカテーテル。
【請求項９】
前記目印部が、前記カテーテル本体の長手方向に所定の間隔を隔てて複数設けられた
請求項８に記載のカテーテル。
【請求項１０】
前記目印部は、
前記カテーテル本体が鼻孔入口部から前記咽頭部に挿入された場合において、前記鼻孔入口部の外部から視認できる位置に設けられた鼻孔目印部と、
前記咽頭部に挿入された前記カテーテル本体の口腔から視認できる位置に設けられた口腔目印部とで構成された
請求項８又は請求項９に記載のカテーテル。
【請求項１１】
複数設けられた前記目印部のうち、少なくとも一つが異なる幅で形成された
請求項８乃至請求項１０のうちいずれか一項に記載のカテーテル。
【請求項１２】
複数設けられた前記目印部のうち、少なくとも一つが異なる色で配色された
請求項８乃至請求項１１のうちいずれか一項に記載のカテーテル。
【考案の詳細な説明】
【技術分野】
【０００１】
この考案は、例えば、咽頭部から被吸引物を吸引するカテーテルに関する。
【背景技術】
【０００２】
加齢や疾病などにより、咽頭部に溜まった唾液、鼻汁、あるいは喀痰などの被吸引物を咳や嚥下などで体外に排出したり飲み下したりできなくなることがある。このような被吸引物が気管に入ると、呼吸困難、窒息又は肺炎などの原因になることから、カテーテルなどを用いて被吸引物を吸引する必要がある。
【０００３】
例えば、特許文献１に開示されているカテーテルは、先端部に吸引孔が設けられた管状のカテーテル本体の基端側に吸引機構を接続するとともに、先端側を咽頭部に挿入する。このようにカテーテル本体を咽頭部に挿入した状態において、吸引機構によって吸引することでカテーテル本体の内部が負圧となり、カテーテル本体の先端部に設けられた吸引孔より、唾液、鼻汁、あるいは喀痰などの被吸引物を吸引することができるとされている。
【０００４】
しかしながら、例えば、吸引機構で吸引する際の負圧や患者の動作に伴って、咽頭部において被吸引物が溜まった所定箇所からカテーテル本体の先端部が移動して、被吸引物を十分に吸引できないおそれがあった。
【先行技術文献】
【特許文献】
【０００５】
【特許文献１】特開２００４−９７６００号公報
【考案の概要】
【考案が解決しようとする課題】
【０００６】
この考案は、上述した問題を鑑み、カテーテル本体の先端部に設けられた吸引孔が、咽頭部における所定箇所から移動することを抑制し、被吸引物を効率よく吸引することができるカテーテルを提供することを目的とする。
【課題を解決するための手段】
【０００７】
この考案は、咽頭部における被吸引物を、接続された吸引機構により吸引するカテーテルであって、先端部に前記被吸引物を内部に吸引する吸引孔が設けられた、可撓性を有する管状のカテーテル本体と、前記カテーテル本体の先端より延出され、前記咽頭部における所定箇所に対する前記吸引孔の位置を規制する位置規制部とが備えられたことを特徴とする。
【０００８】
前記被吸引物は、唾液、鼻汁、あるいは、肺及び気管から排出される老廃物や外気のごみなどを含む粘液である喀痰などをさす。  
前記吸引機構は、吸引して前記カテーテル本体の内部を負圧にする機構をさし、手動又は自動により前記カテーテル本体の内部を負圧にする吸引ポンプの他、カテーテルの基端側から前記カテーテル本体の内部の空気を口などで吸引することで、前記カテーテル本体の内部を負圧にする場合も含む。  
【０００９】
前記カテーテル本体は、可撓性を有する管状に構成されていれば材質については特に限定されず、例えば、シリコン、ポリウレタン、ポリエチレン、テフロン（登録商標）、ナイロンなどの合成樹脂により構成されたもの、あるいは天然ゴムや合成ゴムなどのエラストマにより構成されたものを含む。
【００１０】
前記吸引孔は、前記カテーテル本体の先端、前記カテーテル本体の先端側の側壁、又は前記カテーテル本体と前記位置規制部との連結部分に設けられてもよい。  
また、前記吸引孔は、前記カテーテル本体の外部から内部に前記被吸引物を吸引することができればよく、その形状や数については特に限定せず、例えば、前記吸引孔の形状が、真円形状や楕円形状などのオーバル形状、あるいは多角形状に形成されたものを含み、さらに、前記先端部に一又は複数設けられてもよい。
【００１１】
前記位置規制部は、前記カテーテル本体の先端から延設される管状又は中実状の円柱体や、前記カテーテル本体の内部から先端側に向けて延出される管状又は中実状の円柱体、あるいは前記カテーテル本体の先端から延設される一又は複数の棒状体もしくは板状体や、前記カテーテル本体の内部から先端側に向けて延出される一又は複数の棒状体もしくは板状体で構成された場合を含む。なお、前記板状体は前記カテーテル本体の長手方向に直交する断面が円弧状に構成された場合を含む。また、前記位置規制部は、上述の構成を組み合わせてもよい。  
前記所定箇所とは、咳や嚥下などで体外に排出したり飲み下したりできない前記被吸引物を、前記咽頭部において吸引することができる箇所をいう。
【００１２】
この考案により、カテーテル本体の先端部に設けられた吸引孔が、咽頭部における所定箇所から移動することを抑制し、被吸引物を効率よく吸引することができる。  
詳述すると、前記カテーテル本体の先端部に設けられた前記吸引孔が前記咽頭部における前記所定箇所に配置されると、前記カテーテル本体の先端より延出される前記位置規制部は、前記咽頭部における前記所定箇所よりも奥側且つ前記咽頭部より狭隘な食道又は気道に配置されることとなる。
【００１３】
このため、前記吸引機構の吸引による負圧や患者の動きなどに伴う外力が前記カテーテル本体に作用したとしても、前記カテーテル本体の先端から延出された前記位置規制部は、前記咽頭部より狭隘な食道や気道によってその移動が規制される。
【００１４】
この狭隘な食道や気道による前記位置規制部の移動規制に伴い、前記カテーテル本体の移動も規制されるため、前記吸引孔を前記所定箇所に留めおくことができ、前記所定箇所に溜まった前記被吸引物を効率よく吸引することができる。
【００１５】
またこのように、前記咽頭部における前記カテーテル本体の移動が規制されるため、前記咽頭部内で前記カテーテル本体が移動することによる患者の違和感も軽減することができる。  
さらに、前記位置規制部は前記カテーテル本体の先端より延出しているため、例えば、前記カテーテル本体の一部を拡径させて移動を規制する場合に比べ、患者の違和感を軽減できるとともに、前記先端部に設けられた前記吸引孔をスムーズに前記所定箇所まで挿入することができる。
【００１６】
このように、前記先端部に前記吸引孔が設けられた前記カテーテル本体と、前記カテーテル本体の先端より延出された前記位置規制部とが備えられることによって、患者の違和感を軽減できるとともに前記先端部に設けられた前記吸引孔をスムーズに前記所定箇所まで挿入することができ、さらに前記所定箇所に溜まった前記被吸引物を効率よく吸引することができる。
【００１７】
この考案の態様として、前記位置規制部が、前記カテーテル本体よりも細径且つ可撓性が高い円柱体で構成されてもよい。  
前記円柱体は、管状に構成されたカテーテル本体の先端から延設される円管状又は中実状の円柱体を含む。
【００１８】
この考案により、前記位置規制部が配置される狭隘な食道や気道に対する前記位置規制部の追従性が向上するため、前記位置規制部が食道や気道の内壁に当接することによる患者の違和感を軽減することができる。
【００１９】
このように、狭隘な食道や気道に配置された前記位置規制部による患者の違和感を軽減できるため、長時間、あるいは長期間に亘って前記カテーテル本体を患者に挿入し続けることができ、何度も前記カテーテル本体を出し入れする場合に比べて患者の負担を軽減することができる。
【００２０】
またこの考案の態様として、前記位置規制部が、前記カテーテル本体の先端と連通する管状体で構成されてもよい。  
この考案により、前記吸引孔が前記被吸引物により閉塞されても、前記カテーテル本体が負圧で潰れることがなく、前記吸引孔を閉塞した前記被吸引物を内部に吸引して前記吸引孔の閉塞を解除することができる。
【００２１】
詳述すると、前記カテーテル本体の前記先端部に設けられた前記吸引孔に前記被吸引物が詰まり閉塞すると、前記吸引機構の吸引により内部が負圧となった前記カテーテル本体は可撓性を有するため潰れてしまうおそれがあるが、前記カテーテル本体の先端から延出される前記位置規制部が、前記カテーテル本体の先端と連通する管状体で構成されることで、前記吸引機構の吸引により内部が負圧となった前記カテーテル本体の内部に、前記位置規制部の先端開口から空気が流入し、前記被吸引物により前記吸引孔が閉塞したとしても前記カテーテル本体の内部に空気を滞りなく流すことで前記カテーテル本体が潰れることを防止できる。  
これにより、前記吸引孔を閉塞する前記被吸引物を吸引して前記吸引孔の閉塞を解除することができる。
【００２２】
またこの考案の態様として、前記位置規制部と前記カテーテル本体との間に、先端側に向かって徐々に縮径する縮径部が備えられ、前記カテーテル本体と前記縮径部と前記位置規制部とが一体構成されてもよい。
【００２３】
この考案により、前記カテーテル本体を前記咽頭部にスムーズに挿入できるとともに、前記被吸引物をスムーズに吸引することができる。  
詳述すると、前記カテーテル本体と、前記カテーテル本体より細径である前記位置規制部とを、前記縮径部を介して段差なく一体化できるため、前記カテーテル本体を鼻孔入口部や口腔部より挿入する際に段差が支障することを防止し、スムーズに挿入することができる。
【００２４】
また、管状に構成された前記カテーテル本体と、前記カテーテル本体より細径である管状の前記位置規制部とは、内部においても前記縮径部を介して段差なく一体化できるため、内部に吸引される空気の流れもスムーズとなり、効率よく、前記被吸引物を吸引することができる。
【００２５】
またこの考案の態様として、前記位置規制部の先端側に、所定長さで細径な細径規制部が設けられてもよい。  
前記所定長さとは、前記細径規制部が、例えば、前記咽頭部の内壁などに当接して屈曲した状態において、屈曲したことで生じる復元力により、前記位置規制部の長手方向に沿う方向に戻ることができる長さをさす。なお、屈曲した状態とは、例えば、長手方向と交差する方向から視て略Ｕ字状や略Ｊ字状を形成した状態の他、前記細径規制部の先端が巻き回した状態など含む。
【００２６】
この考案により、前記咽頭部より狭隘な食道又は気道に前記位置規制部をより確実に案内することができるともに、前記所定箇所に配置された前記吸引孔の位置を規制することができるため、前記被吸引物をより効率よく吸引することができる。
【００２７】
詳述すると、前記位置規制部の先端に設けられた前記細径規制部が前記位置規制部よりも細径に形成されているため、前記咽頭部より狭隘な食道や気道に対して、前記細径規制部を容易かつ確実に挿入することができ、前記細径規制部によって確実に前記位置規制部を食道や気道に案内することができる。
【００２８】
また、前記細径規制部が所定長さで形成されることにより、前記位置規制部よりも可撓性が向上する前記細径規制部が過度に屈曲し、折り返された状態で維持されることを防止できる。  
詳述すると、前記位置規制部の先端側から延出する前記細径規制部の可撓性は、前記位置規制部に連結される基端から離れるに伴って高くなる。このため、前記細径規制部が、前述のように、前記咽頭部の内壁などに当接して屈曲した状態から復元力によって、前記位置規制部の長手方向に沿う方向に戻ることができる所定長さで形成されることにより、前記細径規制部の先端における可撓性が過度に高くなることなく、所定の復元力を有することとなる。これにより、例えば、前記咽頭部の内壁などに前記細径規制部の先端が当接して屈曲した状態が維持されることを防止できる。
【００２９】
すなわち、前記咽頭部の内壁と当接した前記細径規制部を、前記咽頭部より狭隘な食道や気道などに容易かつ確実に挿入することができ、前記細径規制部を食道や気道などに挿入することで、前記細径規制部の先端が食道や気道の内壁に当接する。これにより、前記所定箇所に前記吸引孔が配置できるとともに、前記所定箇所に対する前記吸引孔の位置を確実に規制することができる。
【００３０】
さらにまた、前記位置規制部よりも細径に形成された前記細径規制部の可撓性が前記位置規制部よりも向上しているため、食道や気道の内壁に対する追従性もさらに向上し、前記細径規制部が食道や気道の内壁に当接することによる患者の違和感を軽減することができる。
【００３１】
このように、前記位置規制部の先端側に、所定長さで細径な細径規制部が設けられることで、狭隘な食道や気管への前記細径規制部の挿入し易さと患者の違和感の軽減とを両立しながら、前記細径規制部により前記吸引孔の位置を確実に規制し、前記咽頭部において前記被吸引物をより効率よく吸引することができる。
【００３２】
またこの考案の態様として、前記吸引孔が、前記カテーテル本体の長手方向に沿って複数設けられてもよい。  
この考案により、前記カテーテル本体の長手方向に沿って設けられた前記吸引孔が前記所定箇所を広範囲でカバーすることができるため、前記被吸引物を確実かつ効率よく吸引することができる。
【００３３】
なお、上述の長手方向に沿って複数設けられるとは、前記吸引孔が前記カテーテル本体の長手方向に沿っていれば、前記カテーテル本体の周方向のどの方向に向けて設けられていてもよく、例えば、前記吸引孔が、前記カテーテル本体の長手方向に沿って並んで配置されている場合や、前記カテーテル本体の外周面にらせん状に設けられている場合を含む。
【００３４】
またこの考案の態様として、前記吸引孔が、前記カテーテル本体の長手方向に対し、直交する方向に貫通する第一吸引孔と、該第一吸引孔の貫通方向及び前記カテーテル本体の長手方向に対し、直交する方向に貫通する第二吸引孔とで構成されてもよい。
【００３５】
前記第一吸引孔の貫通方向及び前記第二吸引孔の貫通方向は、前記カテーテル本体の長手方向に対して直交する方向の断面から視て、直交していればよく、例えば、前記第一吸引孔の貫通方向と前記第二吸引孔の貫通方向とが交差する場合や、前記第一吸引孔の貫通方向と前記第二吸引孔の貫通方向とが前記カテーテル本体の長手方向に対してずれて設けられている場合を含む。
【００３６】
この考案により、前記所定箇所に溜まった前記被吸引物を四方から吸引することができ、前記カテーテル本体の周方向における向きを問わずに前記咽頭部に挿入して、前記所定箇所から前記被吸引物を吸引することができる。また、例えば、患者に挿入された状態の前記カテーテルに対する外部からの意図しない接触による外力や意図しない患者の動きにより、前記カテーテル本体が周方向に捻れた場合であっても、前記第一吸引孔又は前記第二吸引孔のうち少なくとも一方が前記所定箇所の近傍に配置されるため、前記第一吸引孔又は前記第二吸引孔で前記被吸引物を吸引することができる。
【００３７】
またこの考案の態様として、前記カテーテル本体が前記咽頭部に挿入された状態において、前記吸引孔が前記所定箇所に配置されたことを示す目印部が、前記吸引孔から前記カテーテル本体の基端側に所定の間隔を隔てて設けられてもよい。
【００３８】
この考案により、前記カテーテル本体が前記咽頭部に挿入されることで、外部から視認できなくなる前記カテーテル本体の前記先端部に設けられた前記吸引孔の位置を、前記目印部を視認することで前記目印部から前記吸引孔までの長さにより把握することができ、前記吸引孔を前記所定箇所に確実に配置することができる。
【００３９】
またこの考案の態様として、前記目印部が、前記カテーテル本体の長手方向に所定の間隔を隔てて複数設けられてもよい。  
前述の前記カテーテル本体の長手方向に所定の間隔を隔てて複数設けられるとは、前記目印部が前記カテーテル本体の長手方向に沿って一定の間隔で設けられてもよいし、長手方向に沿った所望の位置に複数設けられてもよい。
【００４０】
この考案により、前記咽頭部に挿入された前記カテーテル本体の前記先端部に設けられた前記吸引孔を、前記所定箇所に身長を問わず適切に配置することができる。  
具体的には、一般的に、前記鼻孔入口部及び前記口腔部から前記所定箇所までの長さは身長に比例する。このため、前記目印部が身長に対応する所定の間隔を隔てて設けられることにより、前記カテーテル本体の前記先端部に設けられた前記吸引孔が患者に挿入されることで外部から視認できなくとも、患者の身長に応じた前記目印部を視認することで前記吸引孔を、前記所定箇所に身長を問わず適切に配置することができる。  
【００４１】
またこの考案の態様として、前記目印部は、前記カテーテル本体が鼻孔入口部から前記咽頭部に挿入された場合において、前記鼻孔入口部の外部から視認できる位置に設けられた鼻孔目印部と、前記咽頭部に挿入された前記カテーテル本体の口腔から視認できる位置に設けられた口腔目印部とで構成されてもよい。  
【００４２】
この考案により、前記鼻孔入口部から挿入する前記カテーテル本体に設けられた前記吸引孔を、前記鼻孔目印部及び前記口腔目印部のうち少なくとも一方を目視することで前記咽頭部における前記所定箇所に配置することができ、患者への前記カテーテルの挿入作業を効率よく行うことができる。
【００４３】
またこの考案の態様として、複数設けられた前記目印部のうち、少なくとも一つが異なる幅で形成されてもよい。  
この考案により、複数設けられた前記目印部のうち、異なる幅で形成された複数の前記目印部を、幅の違いによって確実に認識することができるため、前記目印部の見間違いを抑制し、前記咽頭部への前記カテーテルの挿入作業をより効率よく行うことができる。
【００４４】
またこの考案の態様として、複数設けられた前記目印部のうち、少なくとも一つが異なる色で配色されてもよい。  
この考案により、複数設けられた前記目印部のうち、異なる色で配色された複数の前記目印部を、色の違いによって確実に認識することができるため、前記目印部の見間違いを抑制し、前記咽頭部への前記カテーテルの挿入作業をより効率よく行うことができる。
【考案の効果】
【００４５】
この考案により、カテーテル本体の先端部に設けられた吸引孔が、咽頭部における所定箇所から移動することを抑制し、被吸引物を効率よく吸引することができるカテーテルを提供することができる。
【図面の簡単な説明】
【００４６】
【図１】吸引装置に接続したカテーテルの概略斜視図。
【図２】カテーテルの概略側面図。
【図３】カテーテルの概略断面図
【図４】患者にカテーテルを挿入した状態の概略模式図。
【図５】鼻孔入口部及び口蓋垂先端から食道入口までの距離と身長との関係を説明する説明図。
【図６】患者の体内におけるカテーテルの説明図。
【考案を実施するための形態】
【００４７】
この考案の一実施形態を以下図面と共に説明する。  
図１は吸引装置９００に接続したカテーテル１の概略斜視図を示し、図２はカテーテル１の概略側面図を示し、図３は図２（ａ）におけるＡ−Ａ矢視断面図を示し、図４は患者Ｐにカテーテル１を挿入した状態の概略模式図を示し、図５は患者Ｐにおいて、鼻孔入口部Ｎ及び口蓋垂先端Ｕから食道入口Ｉの距離と身長との関係を説明する説明図を示し、図６は患者Ｐに挿入したカテーテル１において吸引孔６０の位置を規制する規制態様を説明する説明図を示す。
【００４８】
図１、図２及び図６について詳述すると、図１（ａ）は吸引装置９００に接続したカテーテル１の概略斜視図を示し、図１（ｂ）は図１（ａ）のα部の拡大斜視図を示し、図２（ａ）はカテーテル１の全体の概略側面図を示し、図２（ｂ）は図２（ａ）のβ部の拡大斜視図を示す。  
また、図６（ａ）はカテーテル１が挿入された患者Ｐの概略模式図を示し、図６（ｂ）は図５（ａ）におけるγ部の拡大図を示し、図６（ｃ）は図６（ａ）におけるδ部の拡大図を示す。
【００４９】
カテーテル１は、図１（ａ）に示すように、長尺な中空の管状に形成されており、その基端が吸引装置９００に接続されるとともに、先端を患者Ｐの体内に挿入することで被吸引物である喀痰Ａなどを吸引するものである（図４参照）。
【００５０】
先に、カテーテル１の基端に接続する吸引装置９００について説明する。  
この吸引装置９００は、一端がカテーテル１に取り付けられる管状の接続管９１０と、接続管９１０の他端が取り付けられる略円柱状の吸引ビン９２０と、吸引ビン９２０の内部を負圧にする吸引ポンプ９３０とで構成されている。
【００５１】
接続管９１０は、カテーテル１と吸引ビン９２０とを密閉状態で連通するように連結しているため、吸引ポンプ９３０によって吸引ビン９２０の内部を負圧にすることで、カテーテル１の内部を負圧とすることができる。これにより、カテーテル１の内部に引き込まれた患者Ｐの喀痰Ａを咽頭部Ｔにおける所定箇所Ｌから、吸引ビン９２０まで吸引することができる（図４参照）。
【００５２】
次に、吸引装置９００と接続するカテーテル１について説明する。  
カテーテル１は、先端に向かうに伴って段階的に縮径するとともに可撓性を有する管状に形成されている。  
詳述すると、カテーテル１は、図２及び図３に示すように、長尺な管状に形成されたカテーテル本体１０と、カテーテル本体１０の先端に設けられるとともに管状に形成された位置規制部２０と、カテーテル本体１０と位置規制部２０とを連結する縮径部３０と、カテーテル本体１０と接続管９１０とを連結する円筒状の接続コネクタ４０とで構成されている。
【００５３】
カテーテル本体１０は、基端側に設けられる管状に形成された大径本体１１と、先端側に設けられるとともに大径本体１１より小径な管状に形成された小径本体１２と、先端に向かうに伴って滑らかに縮径して大径本体１１と小径本体１２とを連結する本体縮径部１３とで一体に構成されている。  
そして、大径本体１１と小径本体１２と本体縮径部１３とが、略同一の肉厚で形成され、内周面及び外周面において平滑に構成されている（図３参照）。
【００５４】
大径本体１１は、長手方向に直交する方向から視た断面形状が真円状に形成され、外径が約０．７３ｃｍのいわゆる２２Ｆｒカテーテルである。なお、大径本体１１の長手方向の長さは約２５．０ｃｍとなるように構成されている。
【００５５】
小径本体１２は、長手方向に直交する方向から視た断面形状が真円状に形成されるとともに、外径が鼻孔入口部Ｎに挿通可能且つ大径本体１１の８割程度である約０．６０ｃｍのいわゆる１８Ｆｒカテーテルである。なお、小径本体１２の長手方向の長さは大径本体１１と略同一の約２５．０ｃｍとなるように構成されている。
【００５６】
そして小径本体１２には、患者Ｐの食道入口Ｉ近傍に配置される食道目印５０と、内外を連通して喀痰Ａを吸引する吸引孔６０と、吸引孔６０が所定箇所Ｌに配置されたことを示す複数の目印部７０とが設けられている。
【００５７】
食道目印５０は、小径本体１２の先端において、外周に沿うとともに長手方向に所定幅を有する環状の線によって形成され、吸引孔６０が所定箇所Ｌに配置された状態において患者Ｐの食道入口Ｉ近傍に配置される。
【００５８】
吸引孔６０は、食道目印５０から小径本体１２の基端側に約２ｃｍの範囲である先端部１２１に複数が設けられ、小径本体１２の長手方向に直交する方向に貫通している。なお、貫通方向視において、小径本体１２の外径に対して半分程度の直径０．３ｃｍ程度の真円状の貫通孔によって形成されている。
【００５９】
複数設けられた吸引孔６０は、小径本体１２を貫通する第一吸引孔６０ａと第二吸引孔６０ｂとで構成され、第一吸引孔６０ａと第二吸引孔６０ｂとは各々が小径本体１２の径方向に対向して配置される一対の貫通孔により形成されている。
【００６０】
すなわち、一対の第一吸引孔６０ａが小径本体１２の径方向に対向する第一対向方向と、一対の第二吸引孔６０ｂが小径本体１２の径方向に対向する第二対向方向とにおいて、小径本体１２の長手方向、第一対向方向及び第二対向方向は、各々が直交するように設けられている。  
そして、第一吸引孔６０ａ及び第二吸引孔６０ｂは、小径本体１２の長手方向に沿って３つずつ設けられている（図１（ｂ）参照）。
【００６１】
第一吸引孔６０ａは、小径本体１２の先端側から基端に向かって、第一吸引孔６０ａの直径の倍程度となる０．６０ｃｍ程度の間隔を隔てて配置されている。  
また、第二吸引孔６０ｂは、小径本体１２の先端側から基端に向かって、第二吸引孔６０ｂの直径の倍程度となる０．６０ｃｍ程度の間隔を隔てて配置されている。
【００６２】
このように構成された第一吸引孔６０ａ及び第二吸引孔６０ｂは、小径本体１２の長手方向に対して略重なることなく互い違いとなるように設けられている。換言すると、第二吸引孔６０ｂは第一吸引孔６０ａよりも、小径本体１２の長手方向に沿い第一吸引孔６０ａ及び第二吸引孔６０ｂの直径と同程度の０．３０ｃｍ程度基端側に設けられている。  
このように構成された吸引孔６０によって、患者Ｐの体内からカテーテル１の内部に喀痰Ａを吸引することができる。
【００６３】
小径本体１２に設けられた目印部７０は、小径本体１２の周方向に沿うとともに長手方向に所定幅を有する環状の線によって設けられ、患者Ｐにカテーテル１が挿入されることで視認できなくなる吸引孔６０を、咽頭部Ｔにおける所定箇所Ｌに配置するために用いられる。
【００６４】
目印部７０は、患者Ｐにカテーテル１が挿入され、吸引孔６０が所定箇所Ｌに配置された状態において、鼻孔入口部Ｎの近傍に配置され視認できる鼻孔目印部７１と、口蓋垂先端Ｕの近傍に配置され口腔部Ｍから視認できる口腔目印部７２とで構成されている（図４参照）。なお、鼻孔目印部７１は、口腔目印部７２よりも幅広に形成されている。
【００６５】
そして、鼻孔目印部７１と口腔目印部７２とのそれぞれは、小径本体１２の長手方向に沿って所定の間隔を隔てて複数設けられている。  
なお、鼻孔目印部７１と口腔目印部７２とのそれぞれは、患者Ｐの各身長に応じて、太さや色を変えて設けられている。
【００６６】
詳述すると、患者Ｐにおいて、鼻孔入口部Ｎ及び口蓋垂先端Ｕから食道入口Ｉまでの距離は、一般的に身長に対して略比例する関係にある。  
具体的には、図５に示すように、各身長における鼻孔入口部Ｎから食道入口Ｉまでの平均の距離は、身長１７０ｃｍが約１７．０ｃｍ、身長１６５ｃｍが約１６．０ｃｍ、身長１６０ｃｍが約１５．３ｃｍ、身長１５５ｃｍが約１４．５ｃｍ、身長１５０ｃｍが約１３．７ｃｍとなり、鼻孔入口部Ｎから食道入口Ｉまでの距離と身長との相関関係を表す回帰直線Ｒ１に示すように略比例している。
【００６７】
また、各身長における口蓋垂先端Ｕから食道入口Ｉまでの平均の距離は、身長１７０ｃｍが約４．５０ｃｍ、身長１６５ｃｍが約４．００ｃｍ、身長１６０ｃｍが約３．８０ｃｍ、身長１５５ｃｍが約３．５０ｃｍ、身長１５０ｃｍが約３．３０ｃｍとなり、口蓋垂先端Ｕから食道入口Ｉまでの距離と身長との相関関係を表す回帰直線Ｒ２に示すように略比例している。
【００６８】
このため、鼻孔目印部７１を回帰直線Ｒ１に、また口腔目印部７２を回帰直線Ｒ２に基づいて、所定間隔を隔てて複数個所に設けることで、鼻孔目印部７１及び口腔目印部７２を各身長に対応した位置に設けることができる。
【００６９】
鼻孔目印部７１及び口腔目印部７２の配置について詳述すると、先ず、鼻孔目印部７１は、身長１５０ｃｍに対応する赤色に配色された太赤印７１１と、身長１５５ｃｍに対応する細い帯状に設けられた第一黒線７１２と、身長１６０ｃｍに対応する青色に配色された太青印７１３と、身長１６５ｃｍに対応する細い帯状に設けられた第二黒線７１４と、身長１７０ｃｍの患者に対応する黒色に配色された太黒印７１５とで構成されている。  
なお、第一黒線７１２及び第二黒線７１４は、太赤印７１１、太青印７１３及び太黒印７１５よりも幅狭に設けられている。
【００７０】
また、鼻孔目印部７１は、小径本体１２の先端側から順番に、太赤印７１１、第一黒線７１２、太青印７１３、第二黒線７１４、太黒印７１５と配置され、鼻孔目印部７１のうち最も先端側に配置される太赤印７１１は、食道目印５０から小径本体１２の基端側に向かって、身長１５０ｃｍの患者における鼻孔入口部Ｎから食道入口Ｉまでの距離と略同一の約１４ｃｍ隔てた場所に設けられている。  
そして、太赤印７１１から小径本体１２の基端側に向かって上述の順番で、回帰直線Ｒ１に基づき０．５ｃｍ程度の間隔を隔てて設けられている。  
【００７１】
このように、鼻孔入口部Ｎから食道入口Ｉまでの距離と身長との相関関係を表す回帰直線Ｒ１に基づき、鼻孔目印部７１を小径本体１２の長手方向に沿って所定の間隔を隔てて均等に配置することで、複数設けられた鼻孔目印部７１が各身長に応じて設けられている。
【００７２】
次に、口腔目印部７２は、身長１５０ｃｍに対応する赤色に配色された細赤印７２１と、身長１６０ｃｍに対応する青色に配色された細青印７２２と、身長１７０ｃｍに対応する黒色に配色された細黒印７２３とで構成されている。
【００７３】
また、口腔目印部７２は、小径本体１２の先端側から順番に、細赤印７２１、細青印７２２、細黒印７２３と配置され、口腔目印部７２のうち最も先端側に配置される細赤印７２１は、食道目印５０から小径本体１２の基端側に向かって、身長１５０ｃｍの患者における口蓋垂先端Ｕから食道入口Ｉまでの距離と略同一の約３ｃｍ隔てた場所に設けられている。  
そして、細赤印７２１から小径本体１２の基端側に向かって上述の順番で、回帰直線Ｒ２に基づき約０．５ｃｍ程度の間隔を隔てて設けられている。
【００７４】
このように、口蓋垂先端Ｕから食道入口Ｉまでの距離と身長との相関関係を表す回帰直線Ｒ２に基づき、口腔目印部７２を小径本体１２の長手方向に沿って所定の間隔を隔てて均等に配置することで、複数設けられた口腔目印部７２が各身長に応じて設けられている。
【００７５】
このように鼻孔目印部７１及び口腔目印部７２を、食道目印５０から所定の間隔を隔てた位置に設けることで、鼻孔目印部７１及び口腔目印部７２を各身長に対応した位置に設けることができる。  
また、鼻孔目印部７１及び口腔目印部７２のうち、身長１５０ｃｍに対応する場所を赤色、身長１６０ｃｍに対応する場所を青色、身長１７０ｃｍに対応する場所を黒色というように、各身長に対応する場所毎に配色を変えることで、目印部７０の見間違いを防止することができ好ましい。
【００７６】
なお、鼻孔目印部７１及び口腔目印部７２を適切に利用するための身長は患者Ｐが成人の時のものである。このため、患者Ｐが老体であり、身長が成人時から短縮している場合には、測定した身長を基にするではなく、患者Ｐの短縮前の身長を算出することが好ましい。
【００７７】
具体的には、患者Ｐの短縮前の身長は、一般的に脛骨の長さ×３．３＋４７ｃｍで求めることができ、この算出した成人時の身長を基に目印部７０を用いて、カテーテル１を患者Ｐに挿入することが好ましい。
【００７８】
このように構成されたカテーテル本体１０の先端に設けられた位置規制部２０は、カテーテル本体１０よりも小径な管状に形成されるとともに、カテーテル本体１０の長手方向に沿ってカテーテル本体１０の半分程度の長さである２０．０ｃｍ程度に構成されている。
【００７９】
詳述すると、位置規制部２０は、基端側に設けられ管状に形成された規制部本体２１と、先端側に設けられ規制部本体２１より小径な管状に形成された細径規制部２２と、規制部本体２１と細径規制部２２とを連結する縮径規制部２３とで一体に構成されている。  
そして、規制部本体２１と細径規制部２２と縮径規制部２３とが、略同一の肉厚で形成され、内周面及び外周面において平滑に形成されている（図３参照）。
【００８０】
規制部本体２１は、長手方向に直交する方向から視た断面形状が真円状に形成されるとともに、外径が小径本体１２の８割程度となる約０．４７ｃｍのいわゆる１４Ｆｒカテーテルである。なお、規制部本体２１の長手方向の長さは約１８．０ｃｍとなるように構成されている。
【００８１】
細径規制部２２は、長手方向に直交する方向から視た断面形状が真円状に形成され、外径が規制部本体２１の７割程度となる約０．３３ｃｍのいわゆる１０Ｆｒカテーテルである。なお、細径規制部２２の長手方向の長さは約２．００ｃｍとなるように構成されている。  
すなわち、本実施形態において、細径規制部２２は、位置規制部２０の長手方向における全長の１割程度の長さで形成されている。  
規制部本体２１と細径規制部２２とを連結する縮径規制部２３は、先端に向かうに伴って滑らかに縮径する管状に形成されている。
【００８２】
このように構成された位置規制部２０は、カテーテル本体１０と同じ樹脂により略同一の肉厚で管状に形成されている。このため、カテーテル本体１０より外径が７割から８割程度、小径に形成された位置規制部２０は、カテーテル本体１０よりも可撓性が向上している。
【００８３】
さらに、位置規制部２０の先端を構成する細径規制部２２は、位置規制部２０の基端を構成する規制部本体２１よりも小径に形成されている。このため、位置規制部２０の先端である細径規制部２２は、さらに可撓性が向上している。
【００８４】
カテーテル本体１０と位置規制部２０とを連結する縮径部３０は、先端に向かうに伴って滑らかに縮径する管状に形成されている。  
このように構成された縮径部３０を介してカテーテル本体１０と位置規制部２０とは一体に構成され、人体に害のない樹脂により略同一の肉厚で段階的に縮径するように形成されているため、先端に向かうに伴って可撓性が向上するとともに、内周面及び外周面において平滑に一体構成されている（図２（ｂ）参照）。
【００８５】
カテーテル本体１０の基端側に設けられる円筒状の接続コネクタ４０は、大径本体１１の基端側が挿入される円筒状の挿入部４１と、挿入部４１の基端に設けられた円板状の当接部４２と、当接部４２の基端から延出する略円筒状の接続部４３とで一体に構成されている。
【００８６】
挿入部４１は、細径規制部２２の外径と略同一な内径を有する肉厚の薄い円筒状に形成されている。  
挿入部４１の基端に設けられる当接部４２は、接続管９１０の外径と略同一な径の円板状に形成され、細径規制部２２の内径と略同一の径で形成された円形の貫通孔が中央に設けられている。
【００８７】
当接部４２の基端に設けられる接続部４３は、当接部４２に設けられた円形の貫通孔と略同一な内径を有する円筒状に形成されている。そして、当接部４２に取り付けられる接続管９１０の抜けを防止する抜止部４３１が設けられている。  
抜止部４３１は、略円錐台形状に形成されるとともに、接続コネクタ４０の長手方向に所定の間隔を隔て三箇所に設けられている。なお、抜止部４３１は、基端側に向かうに伴い小さく形成されている。
【００８８】
このように構成された接続コネクタ４０の挿入部４１に、大径本体１１を基端側から当接部４２に当接するまで挿入して固定することで、カテーテル１が形成され、カテーテル１の内周面が先端から基端に亘って平滑に形成されている（図３参照）。
【００８９】
このように構成されたカテーテル１は、人体に害のない樹脂により略同一の肉厚で形成され、内周面及び外周面において平滑に一体形構成されている（図３参照）。このため、カテーテル１は外周面及び内周面において、先端に向かうに伴って縮径する管状に形成されており、先端に向かうに伴って可撓性が向上している。
【００９０】
次に、このように構成されたカテーテル１を用いて、仰臥位の患者Ｐから被吸引物である喀痰Ａを吸引する吸引方法について説明する。  
一般的に、咳や嚥下などで体外に排出したり飲み下したりできなかった喀痰Ａは、咽頭部Ｔにおける食道入口Ｉより口腔部Ｍ側から吸引することができる。そこで、この喀痰Ａを吸引する場所であって、図４における破線で囲む場所を所定箇所Ｌとする。
【００９１】
カテーテル１を、図４及び図６に示すように、吸引装置９００の接続管９１０の一端に取り付けるとともに、患者Ｐの鼻孔入口部Ｎから、患者Ｐの身長に応じた鼻孔目印部７１を目安に患者Ｐの体内に挿入することで、吸引孔６０が咽頭部Ｔにおける所定箇所Ｌに配置されるとともに、位置規制部２０が患者Ｐの咽頭部Ｔより狭隘な食道Ｅに配置される。
【００９２】
これにより、患者Ｐの体内に挿入されたカテーテル１は、小径本体１２の基端側が口蓋Ｓと当接するとともに、位置規制部２０が咽頭部Ｔよりも狭隘な食道Ｅに挿入されることで、吸引孔６０が咽頭部Ｔにおける所定箇所Ｌから移動することを抑制することができる（図６（ｂ）及び図６（ｃ）参照）。
【００９３】
吸引孔６０が所定箇所Ｌの動きが規制された状態で、吸引ポンプ９３０によって吸引ビン９２０の内部を負圧にすることで、吸引ビン９２０に接続管９１０を介して接続されるカテーテル１の内部も負圧となり、所定箇所Ｌに溜まった喀痰Ａが、吸引孔６０を通りカテーテル１の内部に引き込まれる。
【００９４】
そして、カテーテル１の内部に引き込まれた喀痰Ａが、接続管９１０を介して吸引ビン９２０まで運ばれることで、喀痰Ａが吸引ビン９２０の内部に溜めることができ、患者Ｐから吸引した喀痰Ａを毎回廃棄する必要がなく、利便性が向上する。
【００９５】
このように構成されたカテーテル１は、咽頭部Ｔにおける喀痰Ａを、接続された吸引装置９００により吸引するカテーテル１であって、先端部１２１に喀痰Ａを内部に吸引する吸引孔６０が設けられた、可撓性を有する管状のカテーテル本体１０と、カテーテル本体１０の先端より延出され、咽頭部Ｔにおける所定箇所Ｌに対する吸引孔６０の位置を規制する位置規制部２０とが備えられたことにより、カテーテル本体１０の先端部１２１に設けられた吸引孔６０が、咽頭部Ｔにおける所定箇所Ｌから移動することを抑制し、喀痰Ａを効率よく吸引することができる。
【００９６】
詳述すると、カテーテル本体１０の先端部１２１に設けられた吸引孔６０が咽頭部Ｔにおける所定箇所Ｌに配置されると、カテーテル本体１０の先端より延出される位置規制部２０は、咽頭部Ｔにおける所定箇所Ｌよりも奥側且つ咽頭部Ｔより狭隘な食道Ｅ又は気道に配置されることとなる。
【００９７】
このため、吸引装置９００の吸引による負圧や患者Ｐの動きなどに伴う外力がカテーテル本体１０に作用したとしても、カテーテル本体１０の先端から延出された位置規制部２０は、咽頭部Ｔより狭隘な食道Ｅや気道によってその移動が規制される。
【００９８】
この狭隘な食道Ｅや気道による位置規制部２０の移動規制に伴い、カテーテル本体１０の移動も規制されるため、吸引孔６０を所定箇所Ｌに留めおくことができ、所定箇所Ｌに溜まった喀痰Ａを効率よく吸引することができる。
【００９９】
またこのように、咽頭部Ｔにおけるカテーテル本体１０の移動が規制されるため、咽頭部Ｔ内でカテーテル本体１０が移動することによる患者Ｐの違和感も軽減することができる。  
さらに、位置規制部２０はカテーテル本体１０の先端より延出しているため、例えば、カテーテル本体１０の一部を拡径させて移動を規制する場合に比べ、患者Ｐの違和感を軽減できるとともに、先端部１２１に設けられた吸引孔６０をスムーズに所定箇所Ｌまで挿入することができる。
【０１００】
このように、先端部１２１に吸引孔６０が設けられたカテーテル本体１０と、カテーテル本体１０の先端より延出された位置規制部２０とが備えられることによって、患者Ｐの違和感を軽減できるとともに先端部１２１に設けられた吸引孔６０をスムーズに所定箇所Ｌまで挿入することができ、さらに所定箇所Ｌに溜まった喀痰Ａを効率よく吸引することができる。
【０１０１】
また、位置規制部２０が、カテーテル本体１０よりも細径且つ可撓性が高い円柱体で構成されることにより、位置規制部２０が配置される狭隘な食道Ｅや気道に対する位置規制部２０の追従性が向上するため、位置規制部２０が食道Ｅや気道の内壁に当接することによる患者Ｐの違和感を軽減することができる。
【０１０２】
このように、狭隘な食道Ｅや気道に配置された位置規制部２０による患者Ｐの違和感を軽減できるため、長時間、あるいは長期間に亘ってカテーテル本体１０を患者Ｐに挿入し続けることができ、何度もカテーテル本体１０を出し入れする場合に比べて患者Ｐの負担を軽減することができる。
【０１０３】
また、位置規制部２０が、カテーテル本体１０の先端と連通する管状体で構成されることにより、吸引孔６０が喀痰Ａにより閉塞されても、カテーテル本体１０が負圧で潰れることがなく、吸引孔６０を閉塞した喀痰Ａを内部に吸引して吸引孔６０の閉塞を解除することができる。
【０１０４】
詳述すると、カテーテル本体１０の先端部１２１に設けられた吸引孔６０に喀痰Ａが詰まり閉塞すると、吸引装置９００の吸引により内部が負圧となったカテーテル本体１０は可撓性を有するため潰れてしまうおそれがあるが、カテーテル本体１０の先端から延出される位置規制部２０が、カテーテル本体１０の先端と連通する管状体で構成されることで、吸引装置９００の吸引により内部が負圧となったカテーテル本体１０の内部に、位置規制部２０の先端開口から空気が流入し、喀痰Ａにより吸引孔６０が閉塞したとしてもカテーテル本体１０の内部に空気を滞りなく流すことでカテーテル本体１０が潰れることを防止できる。  
これにより、吸引孔６０を閉塞する喀痰Ａを吸引して吸引孔６０の閉塞を解除することができる。
【０１０５】
また、位置規制部２０とカテーテル本体１０との間に、先端側に向かって徐々に縮径する縮径部３０が備えられ、カテーテル本体１０と縮径部３０と位置規制部２０とが一体構成されることにより、カテーテル本体１０を咽頭部Ｔにスムーズに挿入できるとともに、喀痰Ａをスムーズに吸引することができる。
【０１０６】
詳述すると、カテーテル本体１０と、カテーテル本体１０より細径である位置規制部２０とを、縮径部３０を介して段差なく一体化できるため、カテーテル本体１０を鼻孔入口部Ｎや口腔部Ｍより挿入する際に段差が支障することを防止し、スムーズに挿入することができる。
【０１０７】
また、管状に構成されたカテーテル本体１０と、カテーテル本体１０より細径である管状の位置規制部２０とは、内部においても縮径部３０を介して段差なく一体化できるため、内部に吸引される空気の流れもスムーズとなり、効率よく、喀痰Ａを吸引することができる。
【０１０８】
また、位置規制部２０の先端側に、所定長さで細径な細径規制部２２が設けられることにより、咽頭部Ｔより狭隘な食道Ｅ又は気道に位置規制部２０をより確実に案内することができるともに、所定箇所Ｌに配置された吸引孔６０の位置を規制することができるため、喀痰Ａをより効率よく吸引することができる。
【０１０９】
詳述すると、位置規制部２０の先端に設けられた細径規制部２２が位置規制部２０よりも細径に形成されているため、咽頭部Ｔより狭隘な食道Ｅや気道に対して、細径規制部２２を容易かつ確実に挿入することができ、細径規制部２２によって確実に位置規制部２０を食道Ｅや気道に案内することができる。
【０１１０】
また、細径規制部２２が所定長さで形成されることにより、位置規制部２０よりも可撓性が向上する細径規制部２２が過度に屈曲し、折り返された状態で維持されることを防止できる。  
詳述すると、位置規制部２０の先端側から延出する細径規制部２２の可撓性は、位置規制部２０に連結される基端から離れるに伴って高くなる。このため、細径規制部２２が、前述のように、咽頭部Ｔの内壁に当接して屈曲した状態から復元力によって、位置規制部２０の長手方向に沿う方向に戻ることができる所定長さで形成されることにより、細径規制部２２の先端における可撓性が過度に高くなることなく、所定の復元力を有することとなる。これにより、例えば、咽頭部Ｔの内壁などに細径規制部２２の先端が当接して屈曲した状態が維持されることを防止できる。
【０１１１】
すなわち、咽頭部Ｔの内壁と当接した細径規制部２２を、咽頭部Ｔより狭隘な食道Ｅや気道などに容易かつ確実に挿入することができ、細径規制部２２を食道Ｅや気道などに挿入することで、細径規制部２２の先端が食道Ｅや気道の内壁に当接する。これにより、所定箇所Ｌに吸引孔６０が配置できるとともに、所定箇所Ｌに対する吸引孔６０の位置を確実に規制することができる。
【０１１２】
さらにまた、位置規制部２０よりも細径に形成された細径規制部２２の可撓性が位置規制部２０よりも向上しているため、食道Ｅや気道の内壁に対する追従性もさらに向上し、細径規制部２２が食道Ｅや気道の内壁に当接することよる患者Ｐの違和感を軽減することができる。
【０１１３】
このように、位置規制部２０の先端側に、所定長さで細径な細径規制部２２が設けられることで、狭隘な食道Ｅや気管への細径規制部２２の挿入し易さと患者Ｐの違和感の軽減とを両立しながら、細径規制部２２により吸引孔６０の位置を確実に規制し、咽頭部Ｔにおいて喀痰Ａをより効率よく吸引することができる。
【０１１４】
また、吸引孔６０が、カテーテル本体１０の長手方向に沿って複数設けられることにより、カテーテル本体１０の長手方向に沿って設けられた吸引孔６０が所定箇所Ｌを広範囲でカバーすることができるため、喀痰Ａを確実かつ効率よく吸引することができる。
【０１１５】
また、吸引孔６０が、カテーテル本体１０の長手方向に対し、直交する方向に貫通する第一吸引孔６０ａと、該第一吸引孔６０ａの貫通方向及びカテーテル本体１０の長手方向に対し、直交する方向に貫通する第二吸引孔６０ｂとで構成されることにより、所定箇所Ｌに溜まった喀痰Ａを四方から吸引することができ、カテーテル本体１０の周方向における向きを問わずに咽頭部Ｔに挿入して、所定箇所Ｌから喀痰Ａを吸引することができる。
【０１１６】
また、例えば、患者Ｐに挿入された状態のカテーテル１に対する外部からの意図しない接触による外力や意図しない患者Ｐの動きにより、カテーテル本体１０が周方向に捻れた場合であっても、第一吸引孔６０ａ又は第二吸引孔６０ｂのうち少なくとも一方が所定箇所Ｌの近傍に配置されるため、第一吸引孔６０ａ又は第二吸引孔６０ｂで喀痰Ａを吸引することができる。
【０１１７】
また、カテーテル本体１０が咽頭部Ｔに挿入された状態において、吸引孔６０が所定箇所Ｌに配置されたことを示す目印部７０が、吸引孔６０からカテーテル本体１０の基端側に所定の間隔を隔てて設けられることにより、カテーテル本体１０が咽頭部Ｔに挿入されることで、外部から視認できなくなるカテーテル本体１０の先端部１２１に設けられた吸引孔６０の位置を、目印部７０を視認することで目印部７０から吸引孔６０までの長さにより把握することができ、吸引孔６０を所定箇所Ｌに確実に配置することができる。
【０１１８】
また、目印部７０が、カテーテル本体１０の長手方向に所定の間隔を隔てて複数設けられることにより、咽頭部Ｔに挿入されたカテーテル本体１０の先端部１２１に設けられた吸引孔６０を所定箇所Ｌに身長を問わず適切に配置することができる。  
【０１１９】
具体的には、一般的に、鼻孔入口部Ｎ及び口腔部Ｍから所定箇所Ｌまでの長さは身長に比例する。このため、目印部７０が身長に対応する所定の間隔を隔てて設けられることにより、カテーテル本体１０の先端部１２１に設けられた吸引孔６０が、患者Ｐに挿入されることで外部から視認できなくとも、患者Ｐの身長に応じた目印部７０を視認することで吸引孔６０を所定箇所Ｌに身長を問わず適切に配置することができる。  
【０１２０】
また、目印部７０は、カテーテル本体１０が鼻孔入口部Ｎから咽頭部Ｔに挿入された場合において、鼻孔入口部Ｎの外部から視認できる位置に設けられた鼻孔目印部７１と、咽頭部Ｔに挿入されたカテーテル本体１０の口腔から視認できる位置に設けられた口腔目印部７２とで構成されることにより、鼻孔入口部Ｎから挿入するカテーテル本体１０に設けられた吸引孔６０を、鼻孔目印部７１及び口腔目印部７２のうち少なくとも一方を目視することで咽頭部Ｔにおける所定箇所Ｌに配置することができ、患者Ｐへのカテーテル１の挿入作業を効率よく行うことができる。
【０１２１】
また、複数設けられた目印部７０のうち、少なくとも一つが異なる幅で形成されることにより、複数設けられた目印部７０のうち、異なる幅で形成された複数の目印部７０を、幅の違いによって確実に認識することができるため、目印部７０の見間違いを抑制し、咽頭部Ｔへのカテーテル１の挿入作業をより効率よく行うことができる。
【０１２２】
また、複数設けられた目印部７０のうち、少なくとも一つが異なる色で配色されることにより、複数設けられた目印部７０のうち、異なる色で配色された複数の目印部７０を、色の違いによって確実に認識することができるため、目印部７０の見間違いを抑制し、咽頭部Ｔへのカテーテル１の挿入作業をより効率よく行うことができる。
【０１２３】
この考案の構成と、上述の実施形態との対応において、
この考案の被吸引物は、実施形態の喀痰Ａに対応し、
以下同様に、
吸引機構は、吸引装置９００に対応するが、
この考案は、上述の実施形態の構成のみに限定されるものではなく、多くの実施の形態を得ることができる。
【０１２４】
例えば、本実施形態において、吸引装置９００は、手動によりカテーテル本体１０の内部を負圧にする吸引ポンプ９３０によって構成されているが、吸引してカテーテル本体１０の内部を負圧にする機構であればよく、自動によりカテーテル本体１０の内部を負圧にする吸引機構や、カテーテル１の基端側からカテーテル本体１０の内部の空気を口などで吸引することでカテーテル本体１０の内部を負圧にしてもよい。  
さらに、吸引装置９００にマイクロフォンを接続し、患者Ｐの咳やゴロゴロ音などを検出することで、自動でカテーテル本体１０の内部を負圧にするように構成してもよい。
【０１２５】
また、カテーテル本体１０は、本実施形態において、シリコン、ポリウレタン、ポリエチレン、テフロン（登録商標）、ナイロンなどの合成樹脂により可撓性を有する管状に構成されているが、可撓性を有する管状に構成されていれば材質については特に限定されず、例えば、天然ゴムや合成ゴムなどのエラストマにより構成されたものであってもよい。
【０１２６】
また、吸引孔６０は、本実施形態において、カテーテル本体１０の先端部１２１の側壁に設けられているが、カテーテル本体１０の先端やカテーテル本体１０と位置規制部２０との連結部分に設けられてもよい。  
【０１２７】
また、吸引孔６０は、本実施形態において、貫通方向視において真円形状に形成された貫通孔によって計１２カ所に設けられているが、カテーテル本体１０の外部から内部に喀痰Ａを吸引することができればよく、その形状や数については特に限定しない。  
例えば、吸引孔６０の形状が、楕円形状などのオーバル形状あるいは多角形状に形成されたものを含み、さらに、先端部１２１に一又は複数設けられてもよい。
【０１２８】
また、位置規制部２０は、本実施形態において、カテーテル本体１０の先端から延設される管状に形成されていうが、カテーテル本体１０の先端から延設される中実状の円柱体や、カテーテル本体１０の内部から先端側に向けて延出される管状又は中実状の円柱体、あるいはカテーテル本体１０の先端から延設される一又は複数の棒状体もしくは板状体や、カテーテル本体１０の内部から先端側に向けて延出される一又は複数の棒状体もしくは板状体で構成された場合を含む。なお、板状体はカテーテル本体１０の長手方向に直交する断面が円弧状に構成されてもよい。また、位置規制部２０は、上述の構成を組み合わせてもよい。  
【０１２９】
第一吸引孔６０ａの貫通方向及び第二吸引孔６０ｂの貫通方向は、本実施形態において、カテーテル本体１０の長手方向に対して直交する方向の断面から視て直交するとともに、カテーテル本体１０の長手方向に対してずれて設けられているが、カテーテル本体１０の長手方向に対して直交する方向の断面から視て直交していればよく、第一吸引孔６０ａの貫通方向と第二吸引孔６０ｂの貫通方向とが交差してもよい。
【０１３０】
前述のカテーテル本体１０の長手方向に所定の間隔を隔てて複数設けられるとは、目印部７０がカテーテル本体１０の長手方向に沿って一定の間隔で設けられてもよいし、長手方向に沿った所望の位置に複数設けられてもよい。
【０１３１】
また、鼻孔目印部７１及び口腔目印部７２は、本実施形態において、鼻孔入口部Ｎ及び口蓋垂先端Ｕから食道入口Ｉまでの平均の距離と身長との相関関係を表す回帰直線Ｒ１及び回帰直線Ｒ２に基づいて一定の間隔で設けられているが、各身長における鼻孔入口部Ｎ及び口蓋垂先端Ｕから食道入口Ｉまでの平均の距離を食道目印５０からカテーテル本体１０の基端側に隔てた場所に目印部７０を設けてもよい。
【０１３２】
また、食道目印５０は、本実施形態において、小径本体１２の先端に設けられているが、患者Ｐにカテーテル１が挿入された状態において患者Ｐの食道入口Ｉ近傍に配置される場所に設けられていればよく、位置規制部２０の基端や縮径部３０に設けられてもよい。
【符号の説明】
【０１３３】
１…カテーテル
１０…カテーテル本体
２０…位置規制部
２２…細径規制部
３０…縮径部
６０…吸引孔
６０ａ…第一吸引孔
６０ｂ…第二吸引孔
７０…目印部
７１…鼻孔目印部
７２…口腔目印部
１２１…先端部
９００…吸引装置
Ｅ…喀痰
Ｔ…咽頭部
【図１】
0003221471.tif 000003
【図２】
0003221471.tif 000004
【図３】
0003221471.tif 000005
【図４】
0003221471.tif 000006
【図５】
0003221471.tif 000007
【図６】
0003221471.tif 000008